(57)【特許請求の範囲】
【請求項１】
湯水を噴出する複数の噴出ノズルを縦列に配した湯水噴出装置において、該湯水噴出装置の外装には、複数の噴出ノズルを結ぶ線上に凹溝を設けたことを特徴とする湯水噴出装置。
【請求項２】
湯水を噴出する複数の噴出ノズルを縦列に配した湯水噴出装置において、該湯水噴出装置は少なくとも複数の噴出ノズルを有するノズルパイプと、該ノズルパイプの少なくとも噴出ノズルを有する側を覆い、かつ、縦列に配した噴出ノズルの噴出ノズルに対応する部分を開口した複数の開口部を有するノズルカバーとからなり、該ノズルカバーの複数の開口部を結ぶ線上に凹溝を設けたことを特徴とする湯水噴出装置。
【請求項３】
前記ノズルカバーを着脱自在としたことを特徴とする請求項２記載の湯水噴出装置。
【発明の詳細な説明】
【０００１】
【発明の属する技術分野】
本発明は、浴室に設置して所定の範囲に拡散するように湯水を噴霧する装置、例えば、噴霧式ミストサウナ装置、ミストシャワー装置、噴出ノズルを複数有する複合シャワー装置等の湯水噴出装置に関するものである。
【０００２】
【従来の技術】
従来の技術としては、特開平５−５９８２５号の図１に図示されているようなものがあった。
この先行の湯水噴出装置（従来技術の説明によればミスト発生装置）では、図からも分かるように複数の湯水の噴出ノズルが縦列になっておりその各々より噴出するものとなっていた。
【０００３】
【発明が解決しようとする課題】
しかしながら、前記従来の湯水噴出装置は以下の課題を有していた。
ａ．湯水を噴出停止時に複数の噴出ノズルより湯水が垂れ、垂れた湯水は湯水噴出装置の表面を伝わり落ちるので見苦しいという問題があった。
【０００４】
ｂ．また、前述のように決まった経路を通らずに垂れ落ちるため、湯水噴出装置のカバーや外装の表面の全面にわたって湯垢が生じるという問題があった。
【０００５】
ｃ．さらには、湯垢が発生した場合においても掃除をし辛いという問題があった。
【０００６】
本発明は上記従来の課題を解決するもので、噴出ノズルよりの垂れ湯水による不快感や広範囲の汚れを防止できる湯水噴出装置の提供を目的とする。
【０００７】
【課題を解決するための手段】
本発明の請求項１の湯水噴出装置は、湯水を噴出する複数の噴出ノズルを縦列に配し、該湯水噴出装置の外装には、複数の噴出ノズルを結ぶ線上に凹溝を設けたことにより、湯水が噴出停止時に複数の噴出ノズルより垂れた湯水が凹溝に集中して流れることが可能となる。
【０００８】
また、本発明の請求項２の湯水噴出装置は、湯水を噴出する複数の噴出ノズルを縦列に配し、該湯水噴出装置は少なくとも複数の噴出ノズルを有するノズルパイプと、該ノズルパイプの少なくとも噴出ノズルを有する側を覆い、かつ、縦列に配した噴出ノズルの噴出ノズルに対応する部分を開口した複数の開口部を有するノズルカバーとからなり、該ノズルカバーの複数の開口部を結ぶ線上に凹溝を設けたことにより、湯水が噴出停止時に複数の噴出ノズルより垂れた湯水が凹溝に集中して流れることが可能となる。
【０００９】
さらには、前述の請求項２の内容に加え請求項３の湯水噴出装置は、前記ノズルカバーを着脱自在としたことにより、集中して垂れ落ちた湯水による湯垢を掃除することがより簡単になる。
【００１０】
【発明の実施の形態】
本発明における湯水噴出装置の実施の形態について、以下図面を用いて説明する。
図１は湯水噴出装置の全体構成図であり、図２は別の実施例の全体構成図、図３は図１または図２の要部説明図、図４は図１または図２の別の実施例の要部説明図である。各部の説明において、同じ箇所には同じ符号を付けて説明を省略する。
【００１１】
図１の本発明の湯水噴出装置の全体構成図中、１は湯水噴出装置、６は浴室、７は浴室の壁、１１は水道管より連接する給水配管、１２は該給水配管１１より分岐して後述する湯水混合弁へ連なる分岐給水配管、１３はガス、石油、電気等の熱源により水を加熱する手段を持つ給湯装置、１４は該給湯装置１３で加熱した湯を取り出す給湯配管、１５は該給湯配管１４と前記分岐給水管１２とが連接して内部の弁により湯及び水を調節する湯水混合弁である。
【００１２】
図２は別の実施例の湯水噴出装置の全体構成図であり、２は湯水噴出装置、８は浴室に設置した椅子、２１は水道管より連接する給水配管、２３はガス、石油、電気等の熱源により水を加熱する手段を持つ給湯装置、２４は該給湯装置２３で加熱した湯を取り出す給湯配管、２５は該給湯配管２４の途中に連接し、電磁式アクチュエーター又はモーター等により内部の弁を駆動させて湯水の水路を開閉する電動弁、２６は該電動弁２５による前記湯水噴出装置２の湯水の噴出の開始及び停止を操作する操作スイッチ、２７は前記電動弁２５による前記湯水噴出装置２の湯水の噴出を遠隔にて浴室外等より操作するリモコンである。
【００１３】
図３は請求項１を説明する図１又は図２の本発明実施例１の要部説明図であり、３１は湯水噴出装置１又は２の後述する複数の噴出ノズル及びそれらを結合して一体形状の外観を有する外装を持ち軸線が垂直な略円筒状の形状である本体、３２は該本体３１に縦列に複数に設けられ湯水を噴出する噴出ノズルで、上部より噴出ノズルＡ３２ａ、噴出ノズルＢ３２ｂ、噴出ノズルＣ３２ｃとし、噴出ノズル３２が３つの場合で説明するが、噴出ノズル３２が２つ又は４つ以上の場合においても噴出ノズル３２が縦列であれば同様となる。３５aは前記噴出ノズルＡ３２ａと前記噴出ノズルＢ３２ｂを結ぶ線上に設けた溝Ａ、３５ｂは前記噴出ノズルＢ３２ｂと前記噴出ノズルＣ３２ｃを結ぶ線上に設けた溝Ｂ、３５ｃは前記噴出ノズルＣ３２ｃより垂直に下ろして前記本体３１の最下端までの線上に設けた溝Ｃである。
【００１４】
図４は請求項２及び請求項３を説明する図１又は図２の本発明実施例２の要部説明図であり、４１は湯水噴出装置１又は２の後述する複数の噴出ノズル及びそれらを結合して一体形状の軸線が垂直な略円筒状の形状であるノズルパイプ、４２は該ノズルパイプ４１に縦列に複数に設けられ湯水を噴出する噴出ノズルで、上部より噴出ノズルＡ４２ａ、噴出ノズルＢ４２ｂ、噴出ノズルＣ４２ｃとし噴出ノズル４２が３つの場合で説明するが、噴出ノズル４２が２つ又は４つ以上の場合においても噴出ノズル４２が縦列であれば同様となる。４３は前記ノズルパイプ４１の少なくとも前記噴出ノズル４２が設けられた側を覆い前記ノズルパイプ４１に着脱可能に取り付けているノズルカバーで、該ノズルカバー４３には後述の溝が設けられる。４５aは前記噴出ノズルＡ４２ａと前記噴出ノズルＢ４２ｂとを結ぶ線上に設けた溝Ａ、４５ｂは前記噴出ノズルＢ４２ｂと前記噴出ノズルＣ４２ｃとを結ぶ線上に設けた溝Ｂ、４５ｃは前記噴出ノズルＣ４２ｃより垂直に下ろして前記ノズルカバー４３の最下端までの線上に設けた溝Ｃである。
【００１５】
前記の図を用いて使用例を説明する。例えば図１の全体構成図と、図３の要部説明図とを組み合わせた例においては、湯水噴出装置１を使用する場合、使用者は湯水混合弁１５を開とし、かつ、適当な温度になるように前記温水混合弁１５を調節する。給水配管１１より給水された水は分岐して、一方は給湯装置１３を通過して湯となり他方は分岐給水配管１２によりそのまま水の状態で前記温水混合弁１５により適当な温度に混合され湯水噴出装置１で噴出する。
図３の本体３１では前述のように適温に混合された湯水が噴出ノズルＡ３２ａ、噴出ノズルＢ３２ｂ及び噴出ノズルＣ３２ｃの各々より同時に噴出する。
ここで、使用者が温水混合弁１５を閉じて使用を中止すると、前記温水混合弁１５から前記噴出ノズルＡ３２ａ、前記噴出ノズルＢ３２ｂ及び前記噴出ノズルＣ３２ｃまでは距離があり瞬時に閉じることができないことにより、前記噴出ノズルＡ３２ａ、前記噴出ノズルＢ３２ｂ及び前記噴出ノズルＣ３２ｃより少量の湯水が水流や水滴となって垂れ落ちる。この時噴出ノズルＡ３２ａより垂れ落ちた湯水は、溝Ａ３５ａを伝わり噴出ノズルＢ３２ｂまで流れ、噴出ノズルＢ３２ｂより垂れ落ちた湯水は噴出ノズルＡ３２ａの湯水と合流して、溝Ｂ３５ｂを伝わり噴出ノズルＣ３２ｃまで流れ、噴出ノズルＣ３２ｃより垂れ落ちた湯水は噴出ノズルＡ３２ａと噴出ノズルＢ３２ｂの湯水と合流して、溝Ｃ３５ｃを伝わり、本体３１の最下部より浴室６の床面に落ちることになる。
【００１６】
さらには他の使用例で説明すると、例えば図２の全体構成図と、図４の要部説明図とを組み合わせた例においては、湯水噴出装置２を使用する場合、使用者は操作スイッチ２６又はリモコン２７に設けた運転開始スイッチ（図示せず）を入れると、湯水噴出装置２に設けた制御部（図示せず）が電動弁２５を開とすると、給水配管２１より給水された水は給湯装置２３を通過して湯となり給湯配管２４を経由して湯水噴出装置２へ送られる。そして、湯水噴出装置２へ送られた湯は、図４のノズルパイプ４１の内部を通り噴出ノズルＡ４２ａ、噴出ノズルＢ４２ｂ及び噴出ノズルＣ４２ｃの各々より同時に噴出する。
【００１７】
ここで、使用者が操作スイッチ２６又はリモコン２７で湯水の噴出を停止する操作をすると、電動弁２５が閉じ、前記電動弁２５から前記噴出ノズルＡ４２ａ、前記噴出ノズルＢ４２ｂ及び前記噴出ノズルＣ４２ｃまでは距離があり瞬時に閉じることができないことにより、前記噴出ノズルＡ４２ａ、前記噴出ノズルＢ４２ｂ及び前記噴出ノズルＣ４２ｃより少量の湯水が水流や水滴となって垂れ落ちる。通常、使用時においてノズルパイプ４１にはノズルカバー４３が着脱可能に取り付けた状態で覆っており、ノズルカバー４３の開口部Ａ４４ａ、開口部Ｂ４４ｂ、開口部Ｃ４４ｃより前記噴出ノズルＡ４２ａ、前記噴出ノズルＢ４２ｂ及び前記噴出ノズルＣ４２ｃの各々が貫通して突出しているので、この時噴出ノズルＡ４２ａより垂れ落ちた湯水は、ノズルカバー４３の表面にある溝Ａ４５ａを伝わり噴出ノズルＢ４２ｂまで流れ、噴出ノズルＢ４２ｂより垂れ落ちた湯水は噴出ノズルＡ４２ａの湯水と合流して、溝Ｂ４５ｂを伝わり噴出ノズルＣ４２ｃまで流れ、噴出ノズルＣ４２ｃより垂れ落ちた湯水は噴出ノズルＡ４２ａと噴出ノズルＢ４２ｂの湯水と合流して溝Ｃ４５ｃを伝わり、ノズルカバー４３の下部よりスイッチ２６とその周囲を覆う取付部の背面を通って浴室６の床面に落ちることになる。
【００１８】
以上のように実施の形態において湯水噴出装置は構成されているので以下の作用を有する。
ａ．請求項１においては、湯水噴出装置の外装にある複数の噴出ノズルの間を結ぶ線上にある凹溝に噴出ノズルより垂れた湯水がまとまって導かれるという作用を有する。
ｂ．請求項２においては、湯水噴出装置のノズルカバーにある複数の噴出ノズルの間を結ぶ線上にある凹溝に噴出ノズルより垂れた湯水がまとまって導かれるという作用を有する。
ｃ．請求項３においては、前記ｂの作用に加え、取り外しが行えるという作用を有する。
【００１９】
【発明の効果】
本発明により、湯水噴出装置は以下の効果を有する。
ａ．請求項１においては、湯水噴出装置の外装にある凹溝に噴出ノズルより垂れた湯水がまとまって導かれることにより、湯水の噴出停止時に複数の噴出ノズルより垂れる湯水が湯水噴出装置の外装表面のあらゆる方向に流線が生じることによる使用者の不快感を防止し、かつ湯垢による広範囲の汚れを防止することが可能となる。
ｂ．請求項２においては、湯水噴出装置のノズルカバーにある凹溝に噴出ノズルより垂れた湯水がまとまって導かれることにより、湯水の噴出停止時に複数の噴出ノズルより垂れる湯水が湯水噴出装置の外装表面のあらゆる方向に流線が生じることによる使用者の不快感を防止し、かつ湯垢による広範囲の汚れを防止することが可能となる。
ｃ．請求項３においては、前記ｂの効果に加え、取り外しが行えることで湯垢の除去等を行う掃除が容易になる。
【図面の簡単な説明】
【図１】本発明の湯水噴出装置の全体構成図である。
【図２】別の実施例の湯水噴出装置の全体構成図である。
【図３】図１または図２の要部説明図である。
【図４】別の実施例の図１または図２の要部説明図である。
【符号の説明】
１、２  湯水噴出装置
６  浴室
７  浴室の壁
８  椅子
１１、２１  給水配管
１２  分岐給水配管
１３、２３  給湯装置
１４、２４  給湯配管
１５  温水混合弁
２５  電磁弁
２６  操作スイッチ
２７  リモコン
３１  本体
３２、４２  噴出ノズル
３２ａ、４２ａ  噴出ノズルＡ
３２ｂ、４２ｂ  噴出ノズルＢ
３２ｃ、４２ｃ  噴出ノズルＣ
３５、４５  溝
３５ａ、４５ａ  溝Ａ
３５ｂ、４５ｂ  溝Ｂ
３５ｃ、４５ｃ  溝Ｃ
４１  ノズルパイプ
４３  ノズルカバー
４４  開口部
４４ａ  開口部Ａ
４４ｂ  開口部Ｂ
４４ｃ  開口部Ｃ
【図１】
0004430807.tif 000002
【図２】
0004430807.tif 000003
【図３】
0004430807.tif 000004
【図４】
0004430807.tif 000005